(57)【要約】【課題】使用者に対して電池交換の意識を強めることができると共に、最低限の調理を行うことができるガスコンロを提供する。【解決手段】コンロ１は、乾電池を電源として駆動する。コンロ１の電圧測定部は乾電池の電池電圧を検出する。コンロのＣＰＵは、電圧測定部が検出した電池電圧に応じて、右コンロバーナ４、左コンロバーナ５、グリルバーナのうち使用可能なバーナを制限する。これにより、コンロ１は正常時よりの不便さを使用者に感じさせることができるので、乾電池を交換する意識を強めることができる。さらに、使用可能なバーナを残すことで、最低限の調理を行うことができる。よって、本実施形態は、使い勝手のよいコンロ１を提供できる。【選択図】図１
2020018136.tif 000002
【特許請求の範囲】
【請求項１】
電池を電源として駆動するガスコンロにおいて、
前記電池の残量を検出する残量検出手段と、
前記残量検出手段が検出した前記残量に応じて使用可能な部位を特定部位に制限する部位制限手段と
を備えたことを特徴とするガスコンロ。
【請求項２】
前記残量検出手段が検出した前記残量が閾値未満か判断する判断手段と、
前記判断手段が前記残量は前記閾値未満と判断した場合、電池交換時期であることを報知する報知手段と
を備え、
前記部位制限手段は、前記判断手段が前記残量は前記閾値未満と判断した場合、前記報知手段による報知と連動して、前記部位を制限すること
を特徴とする請求項１に記載のガスコンロ。
【請求項３】
前記部位は、バーナであって、
前記バーナは、
第一コンロバーナと、
前記第一コンロバーナよりも最大火力の小さい第二コンロバーナと
を含み、
前記部位制限手段は、前記第一コンロバーナを前記特定部位に設定すること
を特徴とする請求項１又は２に記載のガスコンロ。
【請求項４】
前記部位は、バーナであって、
前記バーナは、
第一コンロバーナと、
前記第一コンロバーナよりも最大火力の小さい第二コンロバーナと
を含み、
前記部位制限手段は、前記第二コンロバーナを前記特定部位に設定すること
を特徴とする請求項１又は２に記載のガスコンロ。
【請求項５】
前記部位の操作を受け付ける受付手段と、
前記受付手段が受け付けた前記部位の操作が、前記部位制限手段によって制限されている場合、前記部位の使用が制限されていることを報知する使用制限報知手段と
を備えたこと
を特徴とする請求項１から４の何れかに記載のガスコンロ。
【請求項６】
電池を電源として駆動し、二以上の実行可能な機能を有するガスコンロにおいて、
前記電池の残量を検出する残量検出手段と、
前記二以上の実行可能な機能の中で、前記残量検出手段が検出した前記残量に応じて実行可能な機能を特定機能に制限する機能制限手段と
を備えたことを特徴とするガスコンロ。
【請求項７】
前記残量検出手段が検出した前記残量が閾値未満か判断する判断手段と、
前記判断手段が前記残量は前記閾値未満と判断した場合、電池交換時期であることを報知する報知手段と
を備え、
前記機能制限手段は、前記判断手段が前記残量は前記閾値未満と判断した場合、前記報知手段による報知と連動して、前記機能を制限すること
を特徴とする請求項６に記載のガスコンロ。
【請求項８】
前記機能の操作を受け付ける受付手段と、
前記受付手段が受け付けた前記機能の操作が、前記機能制限手段によって制限された前記機能の操作であるか判断する操作判断手段と、
前記操作判断手段が、前記受付手段が受け付けた前記機能の操作は前記機能制限手段によって制限された前記機能の操作であると判断した場合、前記受付手段が前記操作を受け付けた前記機能は使用が制限されていることを報知する使用不可報知手段と
を備えたことを特徴とする請求項６又は７に記載のガスコンロ。
【請求項９】
前記機能は、被調理物の温度を設定温度に調節可能な温度調節機能を含み、
前記機能制限手段は、前記温度調節機能を制限しないこと
を特徴とする請求項６から８の何れかに記載のガスコンロ。
【発明の詳細な説明】
【技術分野】
【０００１】
本発明は、ガスコンロに関する。
【背景技術】
【０００２】
従来、電池電圧が低下すると、電池交換ランプを点灯させると共に、電池交換を音声で報知する加熱調理器が知られている（例えば、特許文献１参照）。
【先行技術文献】
【特許文献】
【０００３】
【特許文献１】特開２０１５−５０７８６号公報
【発明の概要】
【発明が解決しようとする課題】
【０００４】
しかしながら、特許文献１に記載の加熱調理器では、電池交換ランプでは使用者が気づかなかったり、音声で報知してもまだ正常に使用できるので、すぐに電池を交換することが少なくなかった。そして、電池電圧が低下しているにも関わらず、使用し続けることによって、電池が突然完全に切れてしまい、全く調理ができなくなることがあった。
【０００５】
本発明の目的は、使用者に対して電池交換の意識を強めることができると共に、最低限の調理を行うことができるガスコンロを提供することである。
【課題を解決するための手段】
【０００６】
請求項１のガスコンロは、電池を電源として駆動するガスコンロにおいて、前記電池の残量を検出する残量検出手段と、前記残量検出手段が検出した前記残量に応じて使用可能な部位を特定部位に制限する部位制限手段とを備えたことを特徴とする。
【０００７】
請求項２のガスコンロは、前記残量検出手段が検出した前記残量が閾値未満か判断する判断手段と、前記判断手段が前記残量は前記閾値未満と判断した場合、電池交換時期であることを報知する報知手段とを備え、前記部位制限手段は、前記判断手段が前記残量は前記閾値未満と判断した場合、前記報知手段による報知と連動して、前記部位を制限するとよい。なお、判断手段は、前記残量検出手段が検出した前記残量が閾値以下かで判断してもよい。
【０００８】
請求項３のガスコンロの前記部位は、バーナであって、前記バーナは、第一コンロバーナと、前記第一コンロバーナよりも最大火力の小さい第二コンロバーナとを含み、前記部位制限手段は、前記第一コンロバーナを前記特定部位に設定するとよい。
【０００９】
請求項４のガスコンロの前記部位は、バーナであって、前記バーナは、第一コンロバーナと、前記第一コンロバーナよりも最大火力の小さい第二コンロバーナとを含み、前記部位制限手段は、前記使用可能な前記部位を前記第二コンロバーナのみに制限するとよい。
【００１０】
請求項５のガスコンロは、前記部位の操作を受け付ける受付手段と、前記受付手段が受け付けた前記部位の操作が、前記部位制限手段によって制限されている場合、前記部位の使用が制限されていることを報知する使用制限報知手段とを備えるとよい。
【００１１】
請求項６のガスコンロは、電池を電源として駆動し、二以上の実行可能な機能を有するガスコンロにおいて、前記電池の残量を検出する残量検出手段と、前記二以上の実行可能な機能の中で、前記残量検出手段が検出した前記残量に応じて実行可能な機能を特定機能に制限する機能制限手段とを備えたことを特徴とする。
【００１２】
請求項７のガスコンロは、前記残量検出手段が検出した前記残量が閾値未満か判断する判断手段と、前記判断手段が前記残量は前記閾値未満と判断した場合、電池交換時期であることを報知する報知手段とを備え、前記機能制限手段は、前記判断手段が前記残量は前記閾値未満と判断した場合、前記報知手段による報知と連動して、前記機能を制限するとよい。なお、判断手段は、前記残量検出手段が検出した前記残量が閾値以下かで判断してもよい。
【００１３】
請求項８のガスコンロは、前記機能の操作を受け付ける受付手段と、前記受付手段が受け付けた前記機能の操作が、前記機能制限手段によって制限された前記機能の操作であるか判断する操作判断手段と、前記操作判断手段が、前記受付手段が受け付けた前記機能の操作は前記機能制限手段によって制限された前記機能の操作であると判断した場合、前記受付手段が前記操作を受け付けた前記機能は使用が制限されていることを報知する使用不可報知手段とを備えるとよい。
【００１４】
請求項９のガスコンロの前記機能は、被調理物の温度を設定温度に調節可能な温度調節機能を含み、前記機能制限手段は、前記温度調節機能を制限しないのがよい。
【発明の効果】
【００１５】
請求項１のガスコンロによれば、電池残量が少なくなった状態で、使用可能な部位を特定部位に制限することで、正常時よりの不便さを使用者に感じさせることができる。これにより、電池を交換する意識を強めることができると共に、特定部位において最低限の調理を行うことができるので、使い勝手のよいガスコンロを提供できる。なお、電池残量とは、以下に記載する第一，第二実施形態においては、電池電圧を意味する。
【００１６】
請求項２のガスコンロによれば、電池残量が閾値未満になった場合、電池交換時期であることを使用者に向けて報知する。これに連動して、使用可能な部位を特定部位に制限するので、電池を交換する意識をより強めることができる。
【００１７】
請求項３のガスコンロによれば、電池残量が少なくなった状態で、使用可能な部位を特定部位に制限する場合、特定部位を第一コンロバーナに設定する。第一コンロバーナは、第二コンロバーナよりも最大火力が大きいので、第二コンロバーナの使用が制限されても、第一コンロバーナの火力調整で対応できる。
【００１８】
請求項４のガスコンロによれば、電池残量が少なくなった状態で、使用可能な部位を制限する場合、使用可能な部位を第二コンロバーナに設定する。仮に第一コンロバーナの使用が制限された場合、それよりも最大火力の小さい第二コンロバーナで対応しなければならないので、正常時よりの不便さを使用者に強く感じさせることができる。
【００１９】
請求項５のガスコンロによれば、電池残量が少なくなり使用可能な部位が制限された状態で、使用者から受け付けた部位の操作が制限された部位の操作であった場合、部位の使用が制限されていることを報知する。これにより、電池残量が少ないことによって、使用が制限されていることを使用者に強く認識させることができる。
【００２０】
請求項６のガスコンロによれば、電池残量が少なくなった状態で、実行可能な機能を特定機能に制限することで、正常時よりの不便さを使用者に感じさせることができる。これにより、電池を交換する意識を強めることができると共に、特定機能で最低限の調理を行うことができるので、使い勝手のよいガスコンロを提供できる。
【００２１】
請求項７のガスコンロによれば、電池残量が閾値未満になった場合、電池交換時期であることを使用者に向けて報知する。これに連動して、使用可能な機能を特定機能に制限するので、電池を交換する意識をより強めることができる。
【００２２】
請求項８のガスコンロによれば、電池残量が少なくなり使用可能な機能が制限された状態で、使用者から受け付けた機能の操作が制限された機能の操作であった場合、使用が制限されていることを報知する。これにより、電池残量が少ないことによって、使用が制限されていることを使用者に強く認識させることができる。
【００２３】
請求項９のガスコンロによれば、温度調節機能は、例えば油調理等に用いられる機能であり、安全性を向上できる機能である。仮に電池残量が少なくなり、ガスコンロの機能を制限する場合、温度調節機能は制限しないので、安全性を担保できる。
【図面の簡単な説明】
【００２４】
【図１】コンロ１の斜視図である。
【図２】操作パネル部２１の正面図である。
【図３】操作パネル部２２の正面図である。
【図４】コンロ１の電気的構成を示したブロック図である。
【図５】点火制限テーブル７４１の概念図である。
【図６】点火制御処理（第一実施形態）のフローチャートである。
【図７】機能制限テーブル７４２の概念図である。
【図８】燃焼制御処理（第二実施形態）のフローチャートである。
【発明を実施するための形態】
【００２５】
以下、本発明の第一，第二実施形態を説明する。以下に記載される装置の構造、フローチャートなどは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２６】
図１〜図６を参照し、本発明の第一実施形態を説明する。図１を参照し、コンロ１の構造を説明する。コンロ１は、グリル付きテーブルコンロである。コンロ１は、筐体２と天板３を備える。筐体２は、上部が開口する略直方体状に形成される。天板３は、筐体２の開口する上部にネジ（図示略）で固定される。天板３の上面右側には、右コンロバーナ４が設けられ、上面左側には左コンロバーナ５が設けられる。右コンロバーナ４は強火力バーナ、左コンロバーナ５は標準バーナである。強火力バーナの最大火力は、標準バーナの最大火力よりも大きい。
【００２７】
右コンロバーナ４及び左コンロバーナ５の夫々の中心部には、センサ組立２０が設けられる。センサ組立２０は上方向に出退可能に設けられ、図示外のバネで上方に常時付勢される。センサ組立２０は、五徳上に載置される調理鍋の鍋底に上端部が接触して押し下げられる。センサ組立２０の内部には、サーミスタ６５（図４参照）が格納される。サーミスタ６５は、センサ組立２０の上端部を介して鍋底温度を検出する。
【００２８】
右コンロバーナ４及び左コンロバーナ５の夫々の近傍には、イグナイタ６９と熱電対６６（図３参照）が設けられる。イグナイタ６９は、対応するコンロバーナの点火装置である。熱電対６６は、対応するコンロバーナの失火を検知する。天板３の上面後端側には、排気口７が設けられる。排気口７は、筐体２内に設置されたグリル庫（図示略）からの燃焼排気を外部に排出する。
【００２９】
筐体２の前面の左右方向中央部には、グリル庫用の開口部（図示略）が設けられる。該開口部には、グリル庫の前側に設けられたグリル開口（図示略）が配置される。開口部には、グリル扉８が手前方向に引き出し可能に設けられる。グリル扉８を手前側に引き出すと、使用者は、グリル扉８の背面下部に連結した受皿と焼き網（図示略）を、グリル庫内から同時に取り出すことができる。
【００３０】
筐体２の前面において、グリル扉８の右方には、操作ボタン１１，１２が設けられる。グリル扉８の左方には、操作ボタン１３と電池ケース１４が設けられる。操作ボタン１１は、グリル庫内に設けられたグリルバーナ（図示略）の点火／消火の操作を行う。操作ボタン１２は、右コンロバーナ４の点火／消火の操作を行う。操作ボタン１３は、左コンロバーナ５の点火／消火の操作を行う。電池ケース１４は、操作ボタン１３の左側に並んで設けられ、コンロ１の電源として、例えば２つの電池２６（図４参照）を格納する。
【００３１】
操作ボタン１１の上方には、火力調節レバー１５が設けられ、操作ボタン１２の上方には、火力調節レバー１６が設けられ、操作ボタン１３の上方には、火力調節レバー１７が設けられる。火力調節レバー１５は、左右方向の回動操作により、グリルバーナの火力調節を行う。火力調節レバー１６は、左右方向の回動操作により、右コンロバーナ４の火力調節を行う。火力調節レバー１７は、左右方向の回動操作により、左コンロバーナ５の火力調節を行う。火力調節レバー１５，１６と、操作ボタン１１，１２との間には、操作パネル部２１が設けられる。火力調節レバー１７と、操作ボタン１３及び電池ケース１４との間には、操作パネル部２２が設けられる。
【００３２】
図２に示すように、操作パネル部２１の右側には、タイマ表示ランプ３１、コンロタイマ選択スイッチ３２、タイマ表示部３３、「−」スイッチ３４、「＋」スイッチ３５等が設けられ、タイマ機能に関するものである。タイマ表示ランプ３１は、コンロ１を模式的に表したイラストであって、右コンロバーナ４、左コンロバーナ５、グリルバーナに夫々対応する３つの箇所にＬＥＤ（図示略）を備える。コンロタイマ選択スイッチ３２は、右コンロバーナ４と左コンロバーナ５のうち何れか一箇所のみを選択可能であって、コンロタイマをセットできる。コンロタイマは、右コンロバーナ４又は左コンロバーナ５で例えば１〜９９分までの自動消火タイマを設定でき、設定時間になるとブザーでお知らせし、自動的に消火する。グリルタイマは、グリルバーナで例えば１〜１５分までの自動消火タイマを設定でき、設定時間になるとブザーでお知らせし、自動的に消火する。
【００３３】
タイマ表示部３３は７セグの表示器であって、コンロタイマとグリルタイマの設定時間を交互に５秒間ずつ表示する。このとき、タイマ表示ランプ３１では、残り時間を表示している箇所のＬＥＤが点滅し、時間表示していない側のＬＥＤは点灯する。設定時間を変更する場合、変更する箇所のＬＥＤが点滅中に、「−」スイッチ３４又は「＋」スイッチ３５を押して時間を変更する。変更後、最後の操作から５秒後にコンロタイマとグリルタイマの交互表示に戻る。
【００３４】
操作パネル部２１の左側には、高温炒めスイッチ４１、湯沸しスイッチ４２、温度表示ランプ４３、温度選択スイッチ４４等が設けられる。高温炒めスイッチ４１は、右コンロバーナ４において、高温炒め機能を設定する為に３秒以上押下される。高温炒め機能は、強火と弱火を交互に繰り返しながら通常より高い温度で調理を行う機能である。湯沸しスイッチ４２は、右コンロバーナ４において湯沸し機能を設定する為に押下される。湯沸し機能は、沸騰後に自動消火する機能である。
【００３５】
温度表示ランプ４３は、温度キープ機能において設定された設定温度を表示可能であって、上下方向に並ぶ４つのＬＥＤを備える。４つのＬＥＤは、上から順に、２００℃、１８０℃、１６０℃、１４０℃に夫々対応する。温度キープ機能は、右コンロバーナ４（強火力バーナ）において自動的に火力を調節し、油や被調理物の温度を設定温度に保つ機能である。よって、例えば、天ぷらやフライ等の揚げ物調理、クレープやハンバーグ等の焼き物調理等に用いるとよい。設定温度は、温度選択スイッチ４４を押下することによって、１４０℃〜２００℃まで１０℃間隔で設定できる。温度選択スイッチ４４を押下する度に、設定温度は１０℃毎に切り替わり、それに応じて４つのＬＥＤの点灯・消灯の態様が切り替わる。例えば、２００℃、１８０℃、１６０℃、１４０℃の何れかに設定されたときは、対応するＬＥＤが点灯する。対応するＬＥＤが無い１９０℃、１７０、１５０℃の何れかに設定されたときは、設定温度を挟む上下両側の２つの温度に対応する２つのＬＥＤが点灯する。温度選択スイッチ４４を押下し、４つのＬＥＤを消灯させると、温度キープ機能の設定は取り消される。
【００３６】
なお、操作パネル部２１の右側の下部であって、操作ボタン１１の直上位置には、グリルバーナ用の点火確認ランプ４７が設けられる。グリルバーナが点火すると点火確認ランプ４７は点灯し、グリルバーナが消火すると点火確認ランプ４７は消灯する。操作パネル部２１の左側の下部であって、操作ボタン１２の直上位置には、右コンロバーナ４用の点火確認ランプ４８が設けられる。右コンロバーナ４が点火すると、点火確認ランプ４８は点灯し、右コンロバーナ４が消火すると点火確認ランプ４８は消灯する。
【００３７】
また、図３に示すように、操作パネル部２２の右側には、炊飯スイッチ５１と、おかゆ・ごはん表示ランプ５２が設けられる。炊飯スイッチ５１は、左コンロバーナ５において炊飯機能を設定する際に押下される。おかゆ・ごはん表示ランプ５２は、上下に並ぶ２つのＬＥＤを備え、上のＬＥＤがおかゆ、下のＬＥＤがごはんに夫々対応する。炊飯スイッチ５１を押す度に、おかゆ・ごはん表示ランプ５２の点灯するＬＥＤが切り替わり、二つのＬＥＤを消灯させると、炊飯機能の設定は取り消される。
【００３８】
操作パネル部２２の左側下部には、電池交換サイン５３が設けられる。後述するように、電池ケース１４に格納する電池２６の電池電圧が所定の閾値（例えば、２．２Ｖ）未満になると、電池交換サイン５３が点灯する。操作パネル部２２の右側下部であって、操作ボタン１３の直上位置には、左コンロバーナ５用の点火確認ランプ５５が設けられる。左コンロバーナ５が点火すると点火確認ランプ５５は点灯し、左コンロバーナ５が消火すると点火確認ランプ５５は消灯する。
【００３９】
図４を参照し、コンロ１の電気的構成を説明する。コンロ１は、制御回路７０を備える。制御回路７０は、ＣＰＵ７１、ＲＯＭ７２、ＲＡＭ７３、フラッシュメモリ７４、タイマ７５に加え、図示しないＩ／Ｏインタフェイス等を備える。ＣＰＵ７１はコンロ１の各種動作を統括制御する。ＲＯＭ７２は、点火制御プログラムを含む各種プログラム等を記憶する。点火制御プログラムは、後述する点火制御処理（図６参照）を実行する為のものである。ＲＡＭ７３は、各種情報を一時的に記憶する。フラッシュメモリ７４は不揮発性であって、後述する点火制限テーブル７４１（図５参照）等を含む各種データを記憶する。タイマ７５はプログラムで作動する。
【００４０】
制御回路７０には、電源回路１２０、スイッチ入力回路１２１、パネル制御回路１２２、音声出力回路１２３、ＬＥＤドライバ回路１２４、サーミスタ入力回路１２５、失火検出回路１２６、安全弁回路１２７、電磁弁回路１２８、イグナイタ回路１２９等が接続される。
【００４１】
スイッチ入力回路１２１には、基板スイッチ１８とイグナイタスイッチ１９が接続される。基板スイッチ１８は、対応する操作ボタン１１〜１３の操作に連動してオン・オフされる。スイッチ入力回路１２１は、基板スイッチ１８の状態を検出し、電源回路１２０と制御回路７０に入力する。イグナイタスイッチ１９は、対応する操作ボタン１１〜１３が押下される過程で、基板スイッチ１８がオンになった後にオンになり、操作ボタン１１〜１３が押し戻される過程で、基板スイッチ１８がオフになるよりも先にオフになる。スイッチ入力回路１２１は、イグナイタスイッチ１９の状態を検出し、制御回路７０に入力する。
【００４２】
電源回路１２０は、何れかの操作ボタン１１〜１３の基板スイッチ１８がオンの場合に、電池ケース１４に収容される電池２６から供給される電力を各種回路に供給する。制御回路７０は、電源回路１２０から電力が供給されると作動し、電力の供給が途絶えると動作を停止する。また、電池２６の＋極側と−極側に対して、電圧測定部２７が接続される。電圧測定部２７は、制御回路７０からの制御指令を受け、電池２６の出力電圧を測定し、該測定結果を測定信号として制御回路７０に入力する。
【００４３】
パネル制御回路１２２には、操作パネル部２１，２２に設けられた上記各種スイッチ、表示部、ＬＥＤ等が接続される。パネル制御回路１２２は、操作パネル部２１，２２に設けられた各種スイッチの押下を検出し、制御回路７０に入力する。また、パネル制御回路１２２は、制御回路７０からの制御指令を受け、表示部における表示、及びＬＥＤの点灯、点滅等を制御する。音声出力回路１２３は、制御回路７０からの制御指令を受け、筐体２に設けられたスピーカ２５からの音声出力を制御する。ＬＥＤドライバ回路１２４は、制御回路７０からの制御指令を受け、電池交換サイン５３の点灯及び消灯を制御する。
【００４４】
サーミスタ入力回路１２５は、サーミスタ６５の検出信号を、制御回路７０に入力する。失火検出回路１２６は、熱電対６６が発生する熱起電力に基づき、右コンロバーナ４及び左コンロバーナ５の失火を検出し、制御回路７０に入力する。安全弁回路１２７は、制御回路７０からの制御指令を受け、安全弁６７の通電を制御する。安全弁６７は、右コンロバーナ４、左コンロバーナ５、グリルバーナの夫々にガスを供給する３本のガス供給管（図示略）に設けられる。安全弁６７はマグネット式安全弁であり、操作ボタン１１〜１３の押し込み動作で機械的に開放され、開弁状態になる。安全弁回路１２７は、制御回路７０からの制御指令を受け、安全弁６７に通電する。安全弁６７は開弁状態を維持する。例えば、右コンロバーナ４が失火すると、熱電対６６に発生する熱起電力が失われるので、失火検出回路１２６は右コンロバーナ４の失火信号を制御回路７０に入力する。安全弁回路１２７は、制御回路７０からの制御指令を受け、安全弁６７への通電を遮断する。これにより、安全弁６７は図示外のバネの付勢力で閉鎖される。
【００４５】
電磁弁回路１２８は、ＣＰＵ７１の制御に基づき、ガス量調節用の電磁弁６８を開閉する。電磁弁６８は、ガス遮断用キープソレノイドバルブである。電磁弁６８は、例えば、ガス供給管の途中から分岐して再度合流するバイパス管（図示略）に設けられる。電磁弁６８を開閉することによって、バイパス管の流路が開閉され、バーナに供給されるガス量が増減する。これにより、バーナ火力を強火力と弱火力の２段階に調節可能である。イグナイタ回路１２９は、制御回路７０からの制御指令を受け、イグナイタ６９を駆動する。
【００４６】
図５を参照し、点火制限テーブル７４１を説明する。第一実施形態では、電池電圧が所定の閾値未満にまで低下した場合、電池交換サイン５３を点灯することに加え、点火可能なバーナを特定のバーナに制限する。これにより、使用者に電池交換を強く促すと共に、電池交換までの間でも最低限の調理を可能とする。点火制限テーブル７４１は、右コンロバーナ４、左コンロバーナ５、グリルバーナに対して、点火制限の有無を夫々設定する。本実施形態では、例えば、左コンロバーナ５とグリルバーナは点火制限有り、右コンロバーナ４は点火制限無しに設定される。即ち、右コンロバーナ４が特定バーナに設定される。
【００４７】
図６を参照し、点火制御処理を説明する。使用者が操作ボタン１１〜１３の何れかを押下し、対応する基板スイッチ１８がオンすると、ＣＰＵ７１はＲＯＭ７２から点火制御プログラムを読出し、本処理を実行する。例えば、操作ボタン１３が押下されると、対応する左コンロバーナ５のガス供給管に設けられたメイン弁（図示略）と安全弁６７が強制的に開放され、左コンロバーナ５にガスが流れる。なお、メイン弁は、周知のプッシュ・プッシュ機構により操作ボタンの押下に連動して、開弁状態を維持する。
【００４８】
ＣＰＵ７１は、押下された操作ボタン１３に対応する基板スイッチ１８がオンすることによって、押下された操作ボタン１３を認識し、左コンロバーナ５のガス供給管に設けられた安全弁６７に通電する（Ｓ１）。これにより、安全弁６７は、開弁状態を維持する。左コンロバーナ５の炎孔部にガスが供給された状態で、ＣＰＵ７１は、イグナイタ６９をオンし（Ｓ２）、左コンロバーナ５への点火動作を実行する。このとき、ＣＰＵ７１は電圧測定部２７によって電池電圧を測定し、測定した電池電圧が２．２Ｖ以上か否か判断する（Ｓ３）。以下、場面（１）〜（３）に分けて順に説明する。
【００４９】
（１）左コンロバーナ５点火時の電池電圧が２．２Ｖ以上
電池電圧が２．２Ｖ以上であった場合（Ｓ３：ＹＥＳ）、電池残量は十分であるので、ＣＰＵ７１は安全弁６７を閉じることなく、イグナイタ６９の動作を継続し、左コンロバーナ５の点火を完了させる（Ｓ７）。ＣＰＵ７１は、左コンロバーナ５の通常制御を開始する（Ｓ８）。
【００５０】
通常制御において、ＣＰＵ７１は、操作ボタン１３が再度押下され、燃焼中のバーナが消火されたか否か判断する（Ｓ１２）。消火されていない場合（Ｓ１２：ＮＯ）、ＣＰＵ７１は、電池電圧が２．２Ｖ以上か否か判断する（Ｓ１４）。電池電圧が２．２Ｖ以上であった場合（Ｓ１４：ＹＥＳ）、ＣＰＵ７１はＳ８に戻り、引き続き通常制御を続行する。これに対し、電池電圧が２．２Ｖ未満であった場合（Ｓ１４：ＮＯ）、ＣＰＵ７１は電池交換サイン５３を点灯し（Ｓ１５）、使用者に電池交換を促す。ＣＰＵ７１はＳ８に戻り、引き続き通常制御を続行する。
【００５１】
左コンロバーナ５を消火する為、操作ボタン１３が再度押下されると、プッシュ・プッシュ機構によりメイン弁は閉弁され、バーナへのガス供給が遮断されるので、燃焼状態であった左コンロバーナ５は消火される（Ｓ１２：ＹＥＳ）。操作ボタン１３が再度押下されることにより、基板スイッチ１８はオフするので、ＣＰＵ７１は安全弁６７への通電をオフする（Ｓ１３）。これにより、安全弁６７も閉弁するので、ＣＰＵ７１は本処理を終了する。なお、右コンロバーナ４点火時の電池電圧が２．２Ｖ以上の場合も、ＣＰＵ７１は左コンロバーナ５点火時と同様に処理を実行する。
【００５２】
（２）左コンロバーナ５点火時の電池電圧が２．２Ｖ未満
電池電圧が２．２Ｖ未満であった場合（Ｓ３：ＮＯ）、電池残量は少ないので、電池交換を速やかに行うのが望ましい。そこで、ＣＰＵ７１は電池交換サイン５３を点灯し（Ｓ４）、使用者に電池交換を促す。さらに、ＣＰＵ７１は点火制限テーブル７４１（図５参照）に基づき、点火する左コンロバーナ５に点火制限が無いか有るか判断する（Ｓ５）。左コンロバーナ５は、点火制限有りに設定されているので（Ｓ５：ＮＯ）、ＣＰＵ７１はイグナイタ６９をオフし（Ｓ９）、安全弁６７への通電をオフする（Ｓ１０）。これにより、左コンロバーナ５の点火が完了する前に、左コンロバーナ５へのガス供給が遮断されるので、左コンロバーナ５の点火が制限される。
【００５３】
さらに、ＣＰＵ７１は、電池電圧の低下で点火できない旨のメッセージを音声で、スピーカ２５から出力する（Ｓ１１）。例えば、「電池電圧の低下で点火できません。電池交換を速やかに行って下さい。」等の音声を出力するとよい。これにより、仮に使用者が電池交換サイン５３の点灯に気付かなかった場合でも、使用する予定の左コンロバーナ５を点火できないことに、使用者は不便さを感じることから、電池交換の意識を強めることができる。また、音声によって、電池電圧の低下で点火が制限されたことを報知できるので、使用者は、左コンロバーナ５を点火できなかった理由を正確に知ることができる。こうして、ＣＰＵ７１は本処理を終了する。
【００５４】
（３）右コンロバーナ４点火時の電池電圧が２．２Ｖ未満
操作ボタン１２が押下されたとき、電池電圧が２．２Ｖ未満であった場合（Ｓ３：ＮＯ）、上記と同様に、ＣＰＵ７１は電池交換サイン５３を点灯し（Ｓ４）、使用者に電池交換を促す。さらに、ＣＰＵ７１は点火制限テーブル７４１に基づき、点火する右コンロバーナ４に点火制限が無いか有るか判断する（Ｓ５）。右コンロバーナ４は、点火制限無しに設定されているので（Ｓ５：ＹＥＳ）、続いて、ＣＰＵ７１は電池電圧が２．１Ｖ以上か否か判断する（Ｓ６）。
【００５５】
ここで、電池電圧が２．２Ｖ未満であっても、２．１Ｖ以上の場合（Ｓ６：ＹＥＳ）、電池２６が直ぐに完全に切れてしまう状態ではなく、少なくとも現在行っている調理を問題無く終えることができる電圧であるので、ＣＰＵ７１はＳ７に進み、右コンロバーナ４の点火を完了させ、通常制御を実行する（Ｓ８）。これにより、使用者は、現在行っている調理を終えてから電池交換を行うことができるので、コンロ１は使い勝手を向上できる。また、本実施形態では、電池電圧の低下を検出した場合に、強火力バーナである右コンロバーナ４のみを使用可能な特定のバーナに設定するので、標準バーナで調理する予定であった被調理物であっても、強火力バーナで火力調節することで対応できる。これにより、電池電圧が低下した場合であっても、電池交換するまでの間は、一応の加熱調理ができるので、使い勝手を向上できる。
【００５６】
なお、上記（２）のように、左コンロバーナ５点火時の電池電圧が２．２Ｖ未満であった場合、左コンロバーナ５は使用できないことから、電池交換までの間、右コンロバーナ４で代用することで、調理を行うことができる。右コンロバーナ４は強火力バーナであるので、火力調節を行うことで、弱い火力で行う調理にも対応できる。但し、電池交換するまでの間に使用できるバーナは、右コンロバーナ４のみであるので、コンロ１は使用者に対し、正常時よりの不便さを強いることができる。よって、コンロ１は使用者に対し、電池交換の意識を強めることができる。
【００５７】
これに対し、電池電圧が２．１Ｖ未満であった場合（Ｓ６：ＮＯ）、仮に右コンロバーナ４を点火しても、調理途中に電池２６が完全に切れてしまい、コンロ１が全く動かなくなってしまう可能性があるので、ＣＰＵ７１はイグナイタ６９をオフし（Ｓ９）、安全弁６７への通電をオフする（Ｓ１０）。これにより、右コンロバーナ４の点火が完了する前に、右コンロバーナ４へのガス供給が遮断されるので、右コンロバーナ４の点火が制限される。
【００５８】
さらに、ＣＰＵ７１は、電池電圧の低下で点火できない旨のメッセージを音声で、スピーカ２５から出力する（Ｓ１１）。例えば、「電池電圧の低下で点火できません。電池交換を速やかに行って下さい。」等の音声を出力するとよい。これにより、使用者は、電池電圧の低下で右コンロバーナ４の点火が制限されたことを認識できる。こうして、ＣＰＵ７１は本処理を終了する。
【００５９】
以上説明したように、第一実施形態のコンロ１は、電池２６を電源として駆動する。コンロ１の電圧測定部２７は電池２６の電池電圧を検出する。コンロ１のＣＰＵ７１は、電圧測定部２７が検出した電池電圧に応じて、右コンロバーナ４、左コンロバーナ５、グリルバーナのうち使用可能なバーナを特定のバーナに制限する。これにより、コンロ１は正常時よりの不便さを使用者に感じさせることができるので、電池２６を交換する意識を強めることができる。さらに、使用可能なバーナを残すことで、最低限の調理を行うことができる。よって、本実施形態は、使い勝手のよいコンロ１を提供できる。
【００６０】
上記実施形態では、電池電圧が閾値未満になった場合、電池交換サイン５３を点灯し、電池交換時期であることを使用者に向けて報知する。ＣＰＵ７１は、これに連動して、使用可能なバーナを特定のバーナに制限するので、電池交換の意識をより強めることができる。
【００６１】
上記実施形態では、電池電圧が閾値未満になった場合、使用可能なバーナを強火力バーナである右コンロバーナ４のみに制限する。右コンロバーナ４は、左コンロバーナ５よりも最大火力が大きいので、左コンロバーナ５の使用が制限されても、右コンロバーナ４の火力調節で対応できる。
【００６２】
上記実施形態では、電池電圧が低下し、使用可能なバーナが制限された状態で、使用者による操作ボタンの押下によって、バーナの点火を受け付けても、その受け付けたバーナの点火が制限されている場合、ＣＰＵ７１は、そのバーナの使用が制限されていることを音声で報知する。これにより、電池電圧が低下していることによって、バーナの使用が制限されていることを使用者に強く認識させることができる。
【００６３】
以上説明において、電圧測定部２７は、本発明の「残量検出手段」の一例である。図６のＳ３〜Ｓ５、Ｓ９、Ｓ１０の処理を実行するＣＰＵ７１は、本発明の「部位制限手段」の一例である。Ｓ３，Ｓ６の処理を実行するＣＰＵ７１は、本発明の「判断手段」の一例である。Ｓ４の処理を実行するＣＰＵ７１は、本発明の「報知手段」の一例である。右コンロバーナ４は、本発明の「第一コンロバーナ」の一例であって、左コンロバーナ５は、本発明の「第二コンロバーナ」の一例である。操作ボタン１１〜１３は、本発明の「受付手段」の一例である。Ｓ１１の処理を実行するＣＰＵ７１は、本発明の「使用制限報知手段」の一例である。
【００６４】
図７，図８を参照し、本発明の第二実施形態を説明する。上記の通り、第一実施形態のコンロ１では、電池２６の電池電圧の低下を検出した場合、使用可能なバーナを特定のバーナに制限することによって、使用者に対して正常時よりの不便さを感じさせ、電池交換の意識を強めることができる。これに対し、第二実施形態のコンロ１では、電池２６の電池電圧の低下を検出した場合、バーナ燃焼中に実行可能な機能を特定の機能に制限することによって、使用者に正常時よりの不便さを感じさせ、電池交換を強く認識させることを行う。ここで、バーナ燃焼中に実行可能な「機能」とは、操作パネル部２１，２２に設けられた各種スイッチによって設定可能な上記各種機能を意味する。
【００６５】
なお、第二実施形態のコンロ１の構成は、第一実施形態のコンロ１の構成とほぼ共通するので、以下説明において、共通する部分については、第一実施形態の符号をそのまま使用する。また、共通する部分については説明を省略又は簡略化し、異なる部分を中心に説明する。
【００６６】
第二実施形態のコンロ１は、図５に示す点火制限テーブル７４１の代わりに、図７に示す機能制限テーブル７４２をフラッシュメモリ７４に記憶する。機能制限テーブル７４２は、コンロタイマ選択スイッチ３２、「−」スイッチ３４、「＋」スイッチ３５、高温炒めスイッチ４１、湯沸しスイッチ４２、温度選択スイッチ４４、炊飯スイッチ５１に対して、機能制限の有無を夫々設定する。なお、コンロタイマ選択スイッチ３２、「−」スイッチ３４、「＋」スイッチ３５は、タイマ機能（コンロタイマ、グリルタイマ）を設定する為の機能スイッチである。高温炒めスイッチ４１は、高温炒め機能を設定する為の機能スイッチである。湯沸しスイッチ４２は、湯沸し機能を設定する為の機能スイッチである。温度選択スイッチ４４は、温度キープ機能を設定する為の機能スイッチである。炊飯スイッチ５１は、炊飯機能を設定する為の機能スイッチである。なお、温度キープ機能は、本発明の「温度調節機能」の一例である。
【００６７】
本実施形態では、例えば、コンロタイマ選択スイッチ３２、「−」スイッチ３４、「＋」スイッチ３５、温度選択スイッチ４４に対して機能制限無し、高温炒めスイッチ４１、湯沸しスイッチ４２、炊飯スイッチ５１に対して機能制限有りに設定される。即ち、電池電圧が低下した場合、機能が制限されるのは、高温炒め機能、湯沸し機能、炊飯機能であって、機能が制限されない特定機能は、タイマ機能、温度キープ機能である。
【００６８】
なお、機能制限の有無については、図７に示す機能制限テーブル７４２の設定に限定しないが、例えば油調理をするときによく使用されるタイマ調理や、温度キープ機能のように特に安全に関連する機能については、制限しないのが好ましい。
【００６９】
図８を参照し、燃焼制御処理を説明する。使用者が操作ボタン１１〜１３の何れかを押下し、対応する基板スイッチ１８がオンすると、ＣＰＵ７１はＲＯＭ７２から燃焼制御プログラムを読出し、本処理を実行する。Ｓ２１，Ｓ２２は、図６のＳ１，Ｓ２の処理と同一である。例えば、操作ボタン１２が押下されると、ＣＰＵ７１は、対応するイグナイタ６９をオンし（Ｓ２２）、右コンロバーナ４を点火させる（Ｓ２３）。ＣＰＵ７１は、右コンロバーナ４の通常制御を開始する（Ｓ２４）。
【００７０】
ＣＰＵ７１は、電圧測定部２７によって電池電圧を測定し、測定した電池電圧が２．２Ｖ以上か否か判断する（Ｓ２５）。電池電圧が２．２Ｖ以上であった場合（Ｓ２５：ＹＥＳ）、電池電圧は十分であるので、ＣＰＵ７１はそのまま処理をＳ２７に進める。一方、電池電圧が２．２Ｖ未満であった場合（Ｓ２５：ＮＯ）、ＣＰＵ７１は電池交換サイン５３を点灯し（Ｓ２６）、使用者に電池交換を促してから、処理をＳ２７に進める。
【００７１】
右コンロバーナ４の通常制御中に、ＣＰＵ７１は、機能スイッチの何れかが押されたか否か判断する（Ｓ２７）。機能スイッチが何れも押下されない場合（Ｓ２７：ＮＯ）、ＣＰＵ７１は燃焼中の右コンロバーナ４が消火されたか否か判断する（Ｓ３５）。消火された場合（Ｓ３５：ＹＥＳ）、ＣＰＵ７１は対応する安全弁６７の通電を遮断し、本処理を終了する。まだ消火されていない場合（Ｓ３５：ＮＯ）、ＣＰＵ７１はＳ２５に戻り、処理を繰り返す。
【００７２】
−高温炒めスイッチ４１が押下された場合−
例えば、右コンロバーナ４の通常制御中に、高温炒め機能を設定する為に、使用者が高温炒めスイッチ４１を押下した場合（Ｓ２７：ＹＥＳ）、ＣＰＵ７１は、電池電圧が２．２Ｖ以上か否か判断する（Ｓ２８）。ここで、電池電圧が２．２Ｖ以上であった場合（Ｓ２８：ＹＥＳ）、電池電圧は十分であるので、高温炒め機能を実行する（Ｓ３２）。
【００７３】
一方、電池電圧が２．２Ｖ未満であった場合（Ｓ２８：ＮＯ）、ＣＰＵ７１は電池交換サイン５３を点灯すると共に（Ｓ２９）、高温炒めスイッチ４１に対応する高温炒め機能に機能制限が有るか否か判断する（Ｓ３０）。機能制限テーブル７４２（図７参照）を参照すると、高温炒め機能に対し、機能制限は有りに設定されている。よって、ＣＰＵ７１は高温炒め機能を実行せずに、電池電圧の低下により機能を実行できない旨のメッセージを音声で報知する（Ｓ３３）。
【００７４】
この場合、例えば、スピーカ２５から「電池電圧低下により、高温炒め機能を実行できません。電池交換を速やかに行って下さい。」等の音声を出力するとよい。これにより、仮に使用者が電池交換サイン５３の点灯に気付かなかった場合でも、高温炒め機能を使用できないことに、使用者は不便さを感じることから、電池交換の意識を強めることができる。また、音声によって、電池電圧の低下で機能が制限されたことを報知できるので、使用者は、高温炒め機能を実行できなかった理由を正確に知ることができる。
【００７５】
−コンロタイマ選択スイッチ３２が押下された場合−
例えば、右コンロバーナ４の通常制御中に、コンロタイマを設定する為に、使用者がコンロタイマ選択スイッチ３２を押下した場合（Ｓ２７：ＹＥＳ）、ＣＰＵ７１は、電池電圧が２．２Ｖ以上か否か判断する（Ｓ２８）。ここで、電池電圧が２．２Ｖ未満であった場合（Ｓ２８：ＮＯ）、ＣＰＵ７１は電池交換サイン５３を点灯すると共に（Ｓ２９）、コンロタイマ選択スイッチ３２に対応するタイマ機能に機能制限が有るか否か判断する（Ｓ３０）。機能制限テーブル７４２を参照すると、タイマ機能に対し機能制限は無しに設定されている。そこで、ＣＰＵ７１は、今回の調理でコンロタイマを実行しても問題無いか確認する為、電池電圧が２．１Ｖ以上か否か判断する（Ｓ３１）。
【００７６】
電池電圧が２．１Ｖ以上であった場合（Ｓ３１：ＹＥＳ）、今回の調理でコンロタイマを実行しても問題無いので、ＣＰＵ７１は、コンロタイマ選択スイッチ３２の押下によって選択された右コンロバーナ４に対し、コンロタイマを実行する（Ｓ３４）。これにより、使用者は、現在行っている調理を終えてから電池交換を行うことができるので、コンロ１は使い勝手を向上できる。
【００７７】
一方、電池電圧が２．１Ｖ未満であった場合（Ｓ３１：ＮＯ）、機能制限は無しであっても、今回の調理でコンロタイマを実行すると、電池電圧が完全に切れてしまう可能性があるので、ＣＰＵ７１はタイマ機能をセットせずに、電池電圧の低下により機能を実行できない旨のメッセージを音声で報知する（Ｓ３３）。この場合、例えば、スピーカ２５から「電池電圧低下により、タイマ機能を実行できません。電池交換を速やかに行って下さい。」等の音声を出力するとよい。これにより、仮に使用者が電池交換サイン５３の点灯に気付かなかった場合でも、タイマ機能を使用できないことに、使用者は不便さを感じることから、電池交換の意識を強めることができる。
【００７８】
そして、通常制御、若しくは機能実行中において、ＣＰＵ７１は、操作ボタン１３が再度押下され、燃焼中のバーナが消火されたか否か判断する（Ｓ３５）。消火されていない場合（Ｓ３５：ＮＯ）、ＣＰＵ７１はＳ２５に戻り、引き続き通常制御、若しくは実行中の機能を続行する。燃焼中のバーナが消火された場合（Ｓ３５：ＹＥＳ）、基板スイッチ１８はオフするので、ＣＰＵ７１は安全弁６７への通電をオフする（Ｓ３６）。これにより、安全弁６７も閉弁するので、ＣＰＵ７１は本処理を終了する。なお、タイマ機能が実行された場合、設定されたタイマ時間で対応するバーナは消火されるので、本処理は強制的に終了する。また、炊飯機能が実行された場合も、沸騰後にバーナは消火されるので、本処理は強制的に終了する。
【００７９】
以上説明したように、第二実施形態のコンロ１においても、第一実施形態と同様に、電池２６を電源として駆動する。コンロ１のＣＰＵ７１は、電圧測定部２７が検出した電池電圧に応じて、燃焼中のバーナにおいて、実行可能な機能を特定機能に制限する。これにより、コンロ１は正常時よりの不便さを使用者に感じさせることができるので、電池２６を交換する意識を強めることができる。さらに、使用可能な機能を残すことで、最低限の調理を行うことができる。よって、本実施形態は、使い勝手のよいコンロ１を提供できる。
【００８０】
上記実施形態では、燃焼中のバーナで実行可能な機能の中に、温度キープ機能を含む。温度キープ機能は、被調理物の温度を設定温度に調節可能な機能である。温度キープ機能は、油調理等に用いられる機能であり、安全性を向上できる機能である。よって、例えばバーナ燃焼中に、電池電圧が低下した場合でも、温度キープ機能に対しては機能制限をかけない。これにより、第二実施形態は、コンロ１の安全性を担保できる。
【００８１】
なお、本発明は上記実施形態に限定されるものではなく、種々の変更が可能である。
【００８２】
（第一，第二実施形態共通の変形例）
上記第一，第二実施形態のコンロ１は、右コンロバーナ４と左コンロバーナ５を備えるが、天板３上のコンロバーナの数は一つでもよく、三つ以上であってもよい。コンロ１はテーブルコンロであるが、ビルトインコンロであってもよく、ガスの供給がカセット式の小型コンロであってもよい。また、グリルを備えていないコンロであってもよい。
【００８３】
上記第一、第二実施形態において、右コンロバーナ４は強火力バーナ、左コンロバーナ５は標準バーナであるが、右コンロバーナ４を標準バーナ、左コンロバーナ５を強火力バーナとしてもよい。また、右コンロバーナ４及び左コンロバーナ５の両方を強火力バーナ、若しくは標準バーナとしてもよい。
【００８４】
電池電圧の閾値は２．２Ｖであるが、これ以外の数値に変更してもよい。また、第一実施形態の図６のＳ６の判断処理、第二実施形態の図８のＳ３１の判断処理は省略してもよい。このとき、例えば、図６のＳ３、Ｓ１４の判断処理、図８のＳ２５、Ｓ２８の判断処理において、電池電圧が２．１Ｖ以上か否かで判断してもよい。
【００８５】
第一実施形態の図６のＳ１１の報知処理、第二実施形態の図８のＳ３３の報知処理は省略してもよい。また、これら報知処理においてスピーカ２５から出力する音声メッセージは上記実施形態以外のメッセージでもよく、例えば、音声の代わりにブザー、アラーム等を出力してもよい。
【００８６】
第一実施形態のコンロ１は、電池電圧の低下を検出した場合、点火可能なバーナを制限し、第二実施形態のコンロ１は、電池電圧の低下を検出した場合、実行可能な機能を制限するが、例えば、第一実施形態の制御内容と、第二実施形態の制御内容とを併せ持っていてもよい。
【００８７】
（第一実施形態の変形例）
第一実施形態では、電池電圧が低下した場合に、点火可能なバーナを強火力バーナである右コンロバーナ４のみに制限するが、例えば、標準バーナである左コンロバーナ５のみに制限してもよい。この場合、強火力バーナよりも最大火力の小さい左コンロバーナ５で対応しなければならないので、正常時よりの不便さを使用者に強く感じさせることができる。
【符号の説明】
【００８８】
１    コンロ
４    右コンロバーナ
５    左コンロバーナ
１１〜１３    操作ボタン
２６      電池
２７      電圧測定部
３２      コンロタイマ選択スイッチ
３４      「−」スイッチ
３５      「＋」スイッチ
４１      高温炒めスイッチ
４２      湯沸しスイッチ
４４      温度選択スイッチ
５１      炊飯スイッチ
５３      電池交換サイン
７１      ＣＰＵ
【図１】
2020018136.tif 000003
【図２】
2020018136.tif 000004
【図３】
2020018136.tif 000005
【図４】
2020018136.tif 000006
【図５】
2020018136.tif 000007
【図６】
2020018136.tif 000008
【図７】
2020018136.tif 000009
【図８】
2020018136.tif 000010